(57)【特許請求の範囲】
【請求項１】
下方部の内周面に、帯状のカッターを上方にいくにしたがい内径が小さくなるようにしてスパイラル状に設けた掘削ケーシングを回転させながら既存杭を囲むようにして地盤に挿入し、前記掘削ケーシングの内側のスパイラル状のカッターで既存杭の外周部を切削して縮径させ、該縮径箇所で既存杭を切断し切断箇所よりも上方部分を引き抜き、これを順次繰り返し既存杭の全体を引き抜くことを特徴とする既存杭の引き抜き方法。
【請求項２】
掘削ケーシングの挿入は、オールケーシング工法で使用する建て込み装置による請求項１に記載の既存杭の引き抜き方法。
【請求項３】
外周をチャックされながら回転推進されて地盤に挿入させる掘削ケーシングにおいて、下方部の内周面に帯状のカッターを上方にいくにしたがい内径が小さくなるようにしてスパイラル状に設けたことを特徴とする掘削ケーシング。
【発明の詳細な説明】
【０００１】
【発明の属する技術分野】
本発明は、地中に埋設された既存杭の引き抜き方法およびそれに使用する掘削ケーシングに関するものである。
【０００２】
【従来の技術】
従来、図７に示すような主筋１５が配筋されたコンクリート製の既存杭１の引き抜き方法として、例えば、クレーンで吊支したバイブロハンマーを既存杭の頭部にチャック装置で接続し、バイブロハンマーによって発生する上下運動を利用して、既存杭をバイブロハンマーとともにクレーンで吊り上げて引き抜く方法や、図８〜図１０に示すように先端にケーシングビット１１を取り付け、下方部の内側に杭破壊用のビット１２の複数個をスパイラル状に取り付けたオーガーケーシング１３を利用する方法がある。
【０００３】
このオーガーケーシング１３による方法は、オーガーケーシング１３を回転しながら既存杭１の周囲にこれを取り囲むように挿入し、杭破壊用のビット１２で既存杭１の外周面を切削して主筋１５を切断しながら既存杭１を縮径し、この縮径部分をハンマーグラブ１６などでつかんで折って引き上げるもので、かかる動作を繰り返して既存杭１を上部から順次切削し径を小さくしてから折って引き抜いていくものである。
【０００４】
【発明が解決しようとする課題】
前者のバイブロハンマーを用いる方法では、稼働時の振動と騒音が大きく、近隣の住民などへの影響を配慮すると都市部などでの施工が困難であり、また、後者のオーガーケーシング１３を利用する方法は、複数個の杭破壊用のビット１２が適宜間隔でオーガーケーシング１３の内周面に突出しているため、既存杭１とオーガーケーシング１３の内周面との間に隙間が生じ、この隙間や切断後の未だ地中に残っている既存杭１の上部に、杭破壊用のビット１２での切削により生じるスライム１４が落下して残留し、オーガーケーシング１３の内部がこのスライム１４で詰まり、下方部分にいくにしたがい切削しにくくなるおそれがある。
【０００５】
本発明の目的は前記従来例の不都合を解消し、近隣住民などの住宅環境を害するおそれがなく、しかも、既存杭を切削する場合に、切削により発生するスライムによって以後の切削が困難になることを防止して、容易かつ確実に引き抜くことができる既存杭の引き抜き方法およびそれに使用する掘削ケーシングを提供することにある。
【０００６】
【課題を解決するための手段】
本発明は前記目的を達成するため、既存杭の引き抜き方法として、第１に、下方部の内周面に、帯状のカッターを上方にいくにしたがい内径が小さくなるようにしてスパイラル状に設けた掘削ケーシングを回転させながら既存杭を囲むようにして地盤に挿入し、前記掘削ケーシングの内側のスパイラル状のカッターで既存杭の外周部を切削して縮径させ、該縮径箇所で既存杭を切断し切断箇所よりも上方部分を引き抜き、これを順次繰り返し、既存杭の全体を引き抜くこと、第２に、掘削ケーシングの挿入は、オールケーシング工法で使用する建て込み装置によることを要旨とするものである。
【０００７】
既存杭の引き抜き方法に使用する掘削ケーシングとして、第３に、外周をチャックされながら回転推進されて地盤に挿入させる掘削ケーシングにおいて、下方部の内周面に帯状のカッターを上方にいくにしたがい内径が小さくなるようにしてスパイラル状に設けたことを要旨とするものである。
【０００８】
請求項１記載の本発明によれば、既存杭を囲むようにして掘削ケーシングを回転させながら地盤に挿入することにより、挿入と同時に掘削ケーシングの内側のスパイラル状のカッターが既存杭の外周部を切削する。これにより、既存杭の切削部分が縮径し、該縮径箇所で既存杭が折れる。よって、既存杭が切断され切断箇所よりも上方部分の既存杭を引き抜き、かかる作業を順次繰り返せば、既存杭の下方部分も引き抜かれる。この場合、バイブロハンマーによる場合のような振動や騒音は発生せず、また、大規模なクレーンも使用しないで引き抜きが行える。
【０００９】
請求項２記載の本発明によれば、前記作用に加えて、掘削ケーシングの挿入は、オールケーシング工法で使用する建て込み装置を使用するから、装置が大規模にならず、施工場所の制約も少なくなり、掘削ケーシングを使用して既存杭を確実に引き抜くことができる。
【００１０】
請求項３記載の本発明によれば、掘削ケーシングとして、掘削ケーシングの下方部には内周面に帯状のカッターを上方にいくにしたがい内径が小さくなるようにしてスパイラル状に設けたから、このカッターで既存杭を切削したときに発生するスライムは、スパイラル状のカッターにそって引き上げられる。よって、スライムが掘削ケーシングの内部で落下して既存杭との間の隙間に詰まることもなく、既存杭の下方部分の切断が困難になることがない。
【００１１】
【発明の実施の形態】
以下、図面について本発明の実施の形態を詳細に説明する。図１は本発明の既存杭の引き抜き方法で使用する建て込み装置と掘削ケーシングの斜視図、図２は同上要部である掘削ケーシングの下方部分の縦断正面図で、建て込み装置２の構造から説明すると、該建て込み装置２は周知のように例えばオールケーシング工法で使用する圧入機であり、ケーシング３の外周をたが状に締め付けるチャック装置４とこのチャック装置４を回転駆動するモーターや減速機などの駆動装置５と、これらチャック装置４および駆動装置５を上下動する油圧シリダーによる昇降シリンダー６とからなる。
【００１２】
図中７は建て込み装置２を水平に設置する水平ジャッキによるアウトリガーを示す。
【００１３】
ケーシング３は前記建て込み装置２により外周をチャックされながら回転推進されて地盤に挿入されるもので、適宜途中で継ぎ足して必要な長さとする本体管と、この本体管の先端に着脱自在に嵌着するケーシングヘッドとの組合せからなり、嵌着部はボルトで締結する。そして、先端のケーシングヘッドの先端には掘削刃であるケーシングビット１１を設けた。このケーシングビット１１は切削土を外側に押し出すように刃の角度を設定する。
【００１４】
本発明ではかかる構成に加えて図２、図３にも示すようにケーシング３の先端のケーシングヘッドの先端の内周面に帯状のカッター８を上方にいくにしたがい内径が小さくなるようにしてスパイラル状に設けた。このカッター８はケーシング３を構成する金属よりも焼き入れの多い超硬金属をもって帯の長さ方向に連続する山部と谷部とで形成し、溶接などにより堅牢にケーシング３の内周に突出させて固着することが望ましい。
【００１５】
次にかかるケーシング３を使用して既存杭１を引き抜く方法を図４〜図６について説明する。埋設されている既存杭１の上方に建て込み装置２を据え付け、ケーシング３をその外周をチャック装置４で締め付け固定し、駆動装置５でこのチャック装置４を回転させると同時に昇降シリンダー６をフリーとしてケーシング３を既存杭１の周囲を囲むようにしてその外周部分の地盤に挿入する。なお、既存杭１は図７について既に説明したものと同様の主筋１５が配筋されたコンクリート製のものである。
【００１６】
この場合、ケーシング３には先端にケーシングビット１１が突設してあるから、硬質地盤でも容易に挿入できる。
【００１７】
図４に示すように所定の深度、すなわち杭頭までケーシング３を回転させながら挿入し、さらにそのまま図５に示すようにケーシング３を回転させながら既存杭１の周囲に挿入すれば、ケーシング３の内周面にスパイラル状に突設してある帯状のカッター８が既存杭１の外周面に食い込み、回転にともない上方から下方に向けて順次切削する。
【００１８】
これにより、既存杭１の切削部分が縮径し、該縮径部分を図６に示すようにハンマーグラブ１６などでつかんで折り曲げれば、縮径部分の下部位置で既存杭１が切断される。よって、切断箇所よりも上方部分の縮径された既存杭１を引き抜き、かかる作業を順次繰り返せば、既存杭１の下方部分も引き抜かれ、既存杭１が全長にわたって引き抜かれる。
【００１９】
前記カッター８による既存杭１の外周部の切削の際、切削により多量のスライム１４が発生するが、スライム１４は、スパイラル状のカッター８の回転によってこれにそって引き上げられる。よって、スライム１４がケーシング３の内部で落下して既存杭１との間の隙間に詰まることもなく、既存杭１の下方部分の切断が困難になることがない。この場合、バイブロハンマーによる場合のような振動や騒音は発生せず、また、大規模なクレーンも使用しないで引き抜きが行える。
【００２０】
【発明の効果】
以上述べたように本発明の既存杭の引き抜き方法およびそれに使用する掘削ケーシングは、バイブロハンマーによる場合のような振動や騒音が発生しないから、近隣住民などの住宅環境を害するおそれがなく、しかも、既存杭を切削する場合に、切削により発生するスライムがケーシング内を落下することを防止できるから、落下したスライムがケーシング内で詰まって以後の切削が困難になることを阻止して、容易かつ確実に引き抜くことができる。また、大規模なクレーンも使用しないで引き抜きが行えるから、施工場所の制約も少なくなるものである。
【図面の簡単な説明】
【図１】本発明の既存杭の引き抜き方法で使用する建て込み装置と掘削ケーシングの斜視図である。
【図２】本発明の既存杭の引き抜き方法で使用する掘削ケーシングの下方部分の縦断正面図である。
【図３】本発明の既存杭の引き抜き方法で使用する掘削ケーシングの下方部分の横断平面図である。
【図４】本発明の既存杭の引き抜き方法を示す掘削ケーシングによる切削開始状態の縦断正面図である。
【図５】本発明の既存杭の引き抜き方法を示す掘削ケーシングによる切削中の状態の縦断正面図である。
【図６】本発明の既存杭の引き抜き方法を示す切断時の状態を示す縦断正面図である。
【図７】引き抜こうとする既存杭の縦断正面図である。
【図８】従来の掘削ケーシングによる既存杭の引き抜き方法の切削開始時の縦断正面図である。
【図９】従来の掘削ケーシングによる既存杭の引き抜き方法の切削途中の縦断正面図である。
【図１０】従来の掘削ケーシングによる既存杭の引き抜き方法の切断時の状態を示す縦断正面図である。
【符号の説明】
１…既存杭
２…建て込み装置                ３…ケーシング
４…チャック装置                ５…駆動装置
６…昇降シリンダー              ７…アウトリガー
８…カッター
１１…ケーシングビット            １２…杭破壊用のビット
１３…オーガーケーシング          １４…スライム
１５…主筋                        １６…ハンマーグラブ
【図１】
0003581336.tif 000002
【図２】
0003581336.tif 000003
【図３】
0003581336.tif 000004
【図４】
0003581336.tif 000005
【図５】
0003581336.tif 000006
【図６】
0003581336.tif 000007
【図７】
0003581336.tif 000008
【図８】
0003581336.tif 000009
【図９】
0003581336.tif 000010
【図１０】
0003581336.tif 000011